(57)【要約】【課題】  香り付きキャンドルを燃やすとき、ススが発生しないながらも香りが四方に均一に広がるようにするとともに香り付きキャンドルを全部燃やすことができるようにして、香り付きキャンドルの浪費及び環境汚染を予め防止する改善された香り付きキャンドル容器を提供する。【解決手段】  入口１１ａを持つとともに芯１を持った香り付きキャンドル２を内蔵する内部孔１１と、前記内部孔１１が形成された外面体１２と、前記外面体１２に上下方向に沿って形成された多数の通気孔１３とを含み、前記上下方向に沿って形成された多数の通気孔１３が外面体１２の円周方向に等間隔で備えられ、前記多数の通気孔１３が栓１４によって開閉されるように構成される。【選択図】  図１
2014210184.tif 000002
【特許請求の範囲】
【請求項１】
入口１１ａを持つとともに芯１を持った香り付きキャンドル２を内蔵する内部孔１１と；
前記内部孔１１が形成された外面体１２と；
前記外面体１２に上下方向に沿って形成された多数の通気孔１３と；を含み、
前記上下方向に沿って形成された多数の通気孔１３が外面体１２の円周方向に等間隔で備えられることを特徴とする、香り付きキャンドル容器。
【請求項２】
前記多数の通気孔１３が栓１４によって開閉されることを特徴とする、請求項１に記載の香り付きキャンドル容器。
【請求項３】
前記通気孔１３の内側に、外面体１２と一体となる突起５をさらに含むことにより、香り付きキャンドル２の外周面と外面体１２の内周面との間に通気路１６が形成されることを特徴とする、請求項１に記載の香り付きキャンドル容器。
【請求項４】
前記外面体１２の内周面に密着する突起１５’を香り付きキャンドル２の外周面に多数備えることにより、香り付きキャンドル２の外周面と外面体１２の内周面との間に通気路１６が形成されることを特徴とする、請求項１に記載の香り付きキャンドル容器。
【発明の詳細な説明】
【技術分野】
【０００１】
本発明は香り付きキャンドル容器に係り、より詳しくは香り付きキャンドルを燃やすとき、ススが発生しなくて香りがうまく拡散するように改善された香り付きキャンドル容器に関するものである。
【背景技術】
【０００２】
一般に、ガラス材や金属材からなる香り付きキャンドル容器は上部側のみ空いている。
【０００３】
したがって、香り付きキャンドルを燃やすことによって香り付きキャンドルが消耗されればされるほど香り付きキャンドル容器の内部下側で火花が発生する状態となってススが発生する。
【０００４】
その理由は、火花で発生する熱気によって香り付きキャンドル容器の内部空気の熱い空気となり、それにより熱い空気は上部側に上がる特性があるため、香り付きキャンドル容器の上部を通じて上昇する熱い空気によって外部空気が香り付きキャンドル容器の内部にめったに流入することができないので、酸素量の不足によって不完全燃焼によるススが発生するものである。
【０００５】
したがって、ススのにおいと香り付きキャンドルの香りが混じって良くないにおいがする問題点があるだけではなく、ススによって室内が汚染するなどの問題点が引き起こされている。
【０００６】
また、香り付きキャンドル容器の内部の深く芯が燃えていくにつれてススが多く発生するため、香り付きキャンドルを長期間使うことができなくて捨てることになるので、浪費が引き起こされる問題点を伴う。
【０００７】
そして、火花の熱気によって香り付きキャンドル容器の内部空気が熱い空気となり、上部側にだけ香りが放出される状態となるため、香りが四方に均一に広がらないで室内天井側にだけ広がる問題点がある。
【発明の概要】
【発明が解決しようとする課題】
【０００８】
本発明は、香り付きキャンドルを燃やすとき、ススが発生しないながらも香りが四方に均一に広がるようにする香り付きキャンドル容器を提供することにその目的がある。
【０００９】
本発明の他の目的は、香り付きキャンドルを全部燃やすことができるようにして、香り付きキャンドルの浪費及び環境汚染を予め防止することにある。
【課題を解決するための手段】
【００１０】
本発明は、入口を持つとともに芯を持った香り付きキャンドルを内蔵する内部孔と、前記内部孔が形成された外面体と、前記外面体に上下方向に沿って形成された多数の通気孔とを含み、前記上下方向に沿って形成された多数の通気孔が外面体の円周方向に等間隔で備えられる香り付きキャンドル容器を提供する。
【００１１】
本発明において、前記多数の通気孔は栓によって開閉されることができる。
【００１２】
本発明において、前記通気孔の内側に、外面体と一体となる突起をさらに含むことにより、香り付きキャンドルの外周面と外面体の内周面との間に通気路が形成されることができる。
【００１３】
本発明において、前記外面体の内周面に密着する突起を香り付きキャンドルの外周面に多数備えることにより、香り付きキャンドルの外周面と外面体の内周面との間に通気路が形成されることができる。
【発明の効果】
【００１４】
本発明は、香り付きキャンドル容器の内部孔に酸素が円滑に供給されるので、香り付きキャンドルの芯が内部孔の下方に燃えて行ってもススが全然発生しなくなる効果がある。
【００１５】
また、本発明は、ススが発生しなくなるので、ススのにおいと混じらなかった純粋な香り付きキャンドルの香りだけ室内に広がるようになる効果がある。
【００１６】
また、本発明は、多数の通気孔を通じて香りが側方向に放出されて広がることにより室内に四方に均一に広がるようになる効果がある。
【００１７】
そして、本発明は、香り付きキャンドルがススなしに燃焼されるので、中途に捨てられなく、香り付きキャンドルの残部が全部消耗するまで使われ、浪費を予め防止することになり、中途に燃えてから残った香り付きキャンドルが捨てられることなしに全部消耗されるので、環境汚染を予め防止することになる効果を提供するようになるものである。
【図面の簡単な説明】
【００１８】
【図１】本発明による香り付きキャンドル容器の全体斜視図である。
【図２】本発明による香り付きキャンドル容器の縦断面構成図である。
【図３】本発明による他の実施例の香り付きキャンドル容器の縦断面構成図である。
【図４】本発明によるさらに他の実施例の香り付きキャンドル容器の一部断面構成図である。
【図５】図３のＹ−Ｙ’線についての断面構成図である。
【図６】本発明によるさらに他の実施例の一部断面構成図である。
【図７】本発明による通気孔の他の実施例を示す香り付きキャンドル容器の構成図である。
【発明を実施するための形態】
【００１９】
本発明を好適な実施例を示す添付図面に基づいてより詳細に説明すれば次のようである。
【００２０】
図１及び図２を参照すれば、本発明の香り付きキャンドル容器１０は、入口１１ａを持つとともに芯１を持った香り付きキャンドル２を内蔵する内部孔１１が形成された外面体１２を含む。符号１７は入口１１ａを開閉する蓋を示す。
【００２１】
したがって、本発明は、香り付きキャンドル容器１０の外面体１２に上下に沿って多数の通気孔１３が形成されるように構成される。
【００２２】
また、上下方向に沿って形成される多数の通気孔１３は、外面体１２の円周方向に等間隔で形成されるように構成される。
【００２３】
前記多数の通気孔１３は、図１に示したように、円形、楕円形、直四角形、星形、長方形などのさまざまな形に形成されることができる。
【００２４】
前記香り付きキャンドル容器１０は、ガラス材、金属材、陶器材などの不燃性材から構成される。
【００２５】
図２はガラス材から製造される香り付きキャンドル容器１０を示したものであり、このような香り付きキャンドル容器１０の内部孔１１に芯１とともに液状の香り付きキャンドル２が投入して硬化するように製造される。
【００２６】
この際、多数の通気孔１３を通じて液状の香り付きキャンドル２が漏出されることを防止するために、本発明はそれぞれの通気孔１３が栓１４によって密閉された状態で液状の香り付きキャンドル２が投入される。
【００２７】
そして、香り付きキャンドル２が燃焼するように使うときには、通気孔１３から栓１４を除去して使うようになる。
【００２８】
したがって、芯１で火花が発生しながら香り付きキャンドル２が燃えていく状態となって香り付きキャンドル２の高さが低くなれば、外面体１２の上側に位置する通気孔１３が内部孔１１側に徐々に露出される状態となる。
【００２９】
そして、香り付きキャンドル２が燃えていくほど香り付きキャンドル２の高さが次第に低くなるので、もっと多い数の通気孔１３が内部孔１１側に次第に露出される状態となるものである。
【００３０】
したがって、本発明は、燃えていく香り付きキャンドル２の上側に露出された多数の通気孔１３を通じて外部空気が内部孔１１に流入する状態となり、それにより内部孔１１に十分に酸素が供給される状態となることにより、香り付きキャンドルの燃消するときにススが発生しないで良好に燃消する状態となる
【００３１】
そして、香り付きキャンドル２が内部孔１１の低面まで燃えていくにつれて芯１が入口１１ａから遠くなる状態となるが、本発明は、香り付きキャンドル２が内部孔１１の底面まで燃えていけばいくほどもっと多い通気孔１３が香り付きキャンドル２の上側で露出される状態となり、外部空気が内部孔１１に充分に流入するので、残量の香り付きキャンドル２が全部燃えるまでススが発生しなくなる。
【００３２】
したがって、ススの発生によって従来に香り付きキャンドルの中間部分まで使って廃棄したものとは異なり、本発明は残量の香り付きキャンドル２を全部使うことができるので、香り付きキャンドル２の浪費を予め防止することができるようになる。
【００３３】
また、従来にはススの発生によって従来に香り付きキャンドルの中間部分まで使って廃棄して環境汚染の原因となったが、本発明は、香り付きキャンドル２を最後まで全部燃消させて使うことができるので、環境汚染を予め防止することができるようになるものである。
【００３４】
一方、燃焼される香り付きキャンドル２は中央部が溶けながら燃えて上部外周縁部に環状突部の形態となるように燃焼されるので、燭涙が香り付きキャンドル２の外周面に溢れることがないだけでなく、それによって燭涙が通気孔１３を通じて流れることがなくなる。しかも、燭涙によって通気孔１３が塞がる場合が全然発生しなくなるので、通気孔１１を通じて外部空気が内部孔１１に十分に流入することができるものである。
【００３５】
また、通気孔１３が塞がらないので、内部孔１１に露出された多数の通気孔１３を通じて香りが側方向に放出されて広がり、室内に四方に均一に広がるようになるものである。
【００３６】
図３は本発明の他の実施例を示したもので、図３の場合は金属材の香り付きキャンドル容器１０によって具現されるものである。
【００３７】
したがって、金属材の香り付きキャンドル容器１０の場合、通気孔１３を形成する場合、プレスによって穿孔するとき、完全に穿孔しないで一部だけ切断し、その切断された部分が図３のように内部孔１１側に折り曲げられて突起１５が突出するものである。
【００３８】
この場合、香り付きキャンドル２は別に製造されて内部孔１１に挿入される。
【００３９】
したがって、内部孔１１に挿入された香り付きキャンドル２は無理やりに引き出さない限り、突起１５にかかるため、内部孔１１から自然に離脱しないように固定される状態となる。
【００４０】
そして、通気孔１３の内側に外面制１２と一体となる突起１５が設けられているので、図３及び図５に示したように、香り付きキャンドル２の外周面と外面体１２の内周面との間に通気路１６が形成される。
【００４１】
図４に示した場合は香り付きキャンドル容器１０がガラス材からなる場合を示したものである。
【００４２】
この場合にも、外面体１２と一体となる突起１５を備えて、香り付きキャンドル２の外周面と外面体１２の内周面との間に通気路１６が形成されることができる。
【００４３】
図６の場合には、外面体１２の内周面に密着する突起１５’を香り付きキャンドル２の外周面に多数備えることで、香り付きキャンドル２の外周面と外面体１２の内周面との間に通気路１６が形成されるようにしたものである。
【００４４】
したがって、香り付きキャンドル２が燃えていくにつれて、図３の図示のように内部孔１１に露出された通気孔１３を通じて外部空気が流入して酸素が供給される。
【００４５】
そして、まだ燃えなくて残存する香り付きキャンドル２の外周面と外面体１２の内周面との間に通気路１６が形成されているので、まだ燃えなくて残存する香り付きキャンドル２の外周に形成された通気孔１３を通じて外部空気が通気路１６に流入し、通気路１６に流入した外部空気は、図５の矢印のように、突起１５、１５’のない部分を通じて上昇移動して香り付きキャンドル２の上側の内部孔１１に流入することにより、燃焼に必要なより十分な酸素が供給されるものである。
【００４６】
一方、本発明は通気孔１３が外面体１２の上下方向に沿って設けられれば良いものなので、場合によっては、図７に示したように、外面体１２の上下方向に長く伸びる文字形や絵形に備えられることもできるものである。
【００４７】
したがって、本発明は図面に図示した実施例と説明したものに限られるものではなく、本発明が属する技術分野の通常の知識を持った者によって多様な形態に変形実施可能なものなので、請求範囲の範疇を大きく逸脱しない限り、幅広く保護されなければならないのは明らかであろう。
【産業上の利用可能性】
【００４８】
本発明は、香り付きキャンドルを燃やすとき、ススが発生しなくて香りがうまく拡散するように改善された香り付きキャンドル容器に提供可能である。
【符号の説明】
【００４９】
１    芯
２    香り付きキャンドル
１０    香り付きキャンドル容器
１１    内部孔
１２    外面体
１３    通気孔
１４    栓
１５、１５’    突起
１６    通気路
１７    蓋
【図１】
2014210184.tif 000003
【図２】
2014210184.tif 000004
【図３】
2014210184.tif 000005
【図４】
2014210184.tif 000006
【図５】
2014210184.tif 000007
【図６】
2014210184.tif 000008
【図７】
2014210184.tif 000009